(57)【要約】【課題】環境への負荷が高く幼児やペットへの悪影響も考えられる毒性化学薬品や、人体やペットに付着しやすい粘着材を使用しない虫の捕獲器を提供する。【解決手段】昆虫１６などの虫が内部に出入り可能な開口１４を有する容器１２を備え、容器１２の内部には磁性材料を含む餌２０が配置され、容器１２の開口１４には餌２０を食べた昆虫１６などの虫を磁気的に吸着して捕獲可能な罠領域Ａ１を形成する永久磁石が配置されているため、毒性化学薬品や、粘着材を使用しないで昆虫１６などの虫を捕獲することができる。【選択図】図７
2019122317.tif 000002
【特許請求の範囲】
【請求項１】
虫が内部に出入り可能な開口を有する容器を備え、
前記容器の内部には磁性材料を含む餌が配置され、
前記容器の開口には前記餌を食べた虫を磁気的に吸着して捕獲可能な磁石が配置されている
ことを特徴とする虫の捕獲器。
【請求項２】
前記餌は、磁性流体を含む
ことを特徴とする請求項１に記載の虫の捕獲器。
【請求項３】
前記餌は、植物油脂または動物油脂に磁性粉体を混合したものである
ことを特徴とする請求項１または請求項２に記載の虫の捕獲器。
【発明の詳細な説明】
【技術分野】
【０００１】
本発明は、虫の捕獲器に関する。
【背景技術】
【０００２】
虫を捕獲するにあたって、環境への負荷が高く幼児やペットへの悪影響も考えられる毒性化学薬品の使用や、人体やペットに付着しやすい粘着材の使用を低減した虫の捕獲器が知られている。たとえば特許文献１、特許文献２及び特許文献３がそれである。
【０００３】
特許文献１には、家庭の一般的な害虫であるイエバエ、蚊、ゴキブリなどの虫の足に強磁性粒子を付着させることによって傾斜面を滑らせて、罠で捕獲する捕獲器が記載されている。なお、この捕獲器の罠で捕獲する領域には、その虫を殺害するための殺虫剤（化学的毒物）や保持するための粘着材（接着剤を用いた接着面または粘着面）の使用が記載されている。特許文献２には、磁気材料を含む餌を使用した害虫監視部材がシロアリなどの害虫により消費されることによりその害虫の活動を探知し、化学的殺虫剤を全体的でなく探知した箇所で集中的に使用する方法が記載されている。特許文献３には、電気保温床の保温熱で昆虫などの虫を寄り集める虫捕獲箱具が記載されている。
【先行技術文献】
【特許文献】
【０００４】
【特許文献１】特開２００２−５１９３６１号公報
【特許文献２】特表２００３−５０５０５０号公報
【特許文献３】登録実用新案第３０４１３７６号公報
【発明の概要】
【発明が解決しようとする課題】
【０００５】
上記特許文献１に記載の害虫の捕獲器や、特許文献２の害虫駆除方法では、毒性化学薬品や粘着材の使用が必要であり、環境や人体への悪影響が未だ懸念されるものであった。また、特許文献３に記載の捕獲器では電気保温床が必要であるので、捕獲器が高価となる欠点があった。
【０００６】
本発明は、以上の事情を背景として為されたものであり、その目的とするところは、毒性化学薬品や、粘着材を使用しなくても虫を捕獲できる安価な捕獲器を提供することにある。
【課題を解決するための手段】
【０００７】
本発明の要旨とするところは、虫が内部に出入り可能な開口を有する容器を備え、前記容器の内部には磁性材料を含む餌が配置され、前記容器の開口には前記餌を食べた虫を磁気的に吸着して捕獲可能な磁石が配置されていることにある。
【発明の効果】
【０００８】
本発明の虫の捕獲器によれば、虫が内部に出入り可能な開口を有する容器を備え、前記容器の内部には磁性材料を含む餌が配置され、前記容器の開口には前記餌を食べた虫を磁気的に吸着して捕獲可能な磁石が配置されているため、安価な捕獲器であり、毒性化学薬品や、粘着材を使用しなくても虫を捕獲することができる。
【０００９】
好適には、前記餌は、磁性流体を含むものである。このため、様々な食料に簡易に混ぜることができる。
【００１０】
また、好適には、前記餌は、植物油脂または動物油脂に磁性粉体を混合したものである。このため、誤って幼児やペットが前記餌を食したとしても、健康への影響が少ない。
【図面の簡単な説明】
【００１１】
【図１】本発明の一実施例である虫の捕獲器の正面図である。
【図２】図１の捕獲器の上面図である。
【図３】図１の捕獲器のIII−III視断面図である。
【図４】図１の捕獲器のIV−IV視断面図である。
【図５】図１の捕獲器の斜視図である。
【図６】図１の捕獲器に昆虫が侵入する様子を示す斜視図である。
【図７】図１の捕獲器により昆虫が捕獲される様子を示す斜視図である。
【図８】図１の捕獲器によって捕獲した昆虫に、磁石を取り付けた紐を付けた様子を示す図である。
【発明を実施するための形態】
【００１２】
以下、本発明の虫の捕獲器の一実施例について図面を参照して詳細に説明する。
【実施例】
【００１３】
図１は、本発明の一実施例である虫の捕獲器１０（以下、捕獲器という）の正面図であり、図２は図１の捕獲器１０の上面図である。捕獲器１０は平板状の台１２ａと屋根状の箱１２ｂを有する。箱１２ｂは長手状であり、平板状の台１２ａの上に取り付けられることで、開口１４が五角形である筒状の容器１２が形成される。開口１４は容器１２の長手方向の両端部に形成されている。捕獲器１０は、例えば、民家の屋内の昆虫１６の通り道などに昆虫１６が筒状の容器１２の中を通るように設置されることが望ましい。
【００１４】
図３は図１の捕獲器１０のIII−III視断面図である。図３に示すように容器１２内の台１２ａの中央には窪みが設けられていて、餌２０が配置される。餌２０は、植物油脂に磁性材料である、例えば、砂鉄等の磁性粉体を混合して作成された磁性流体である。ここで、昆虫１６をおびき寄せるために、例えば餌２０に誘引剤が含まれていたり、容器１２に誘引剤が塗布されていてもよい。また、植物油脂でなく、動物油脂であってもよく、それらが混合されたものでもよい。
【００１５】
図４は図１の捕獲器１０のIV−IV視断面図である。図４に示すように、容器１２の開口１４を形成する部分の台１２ａの裏側には、ネオジムなどの強力な永久磁石２２が取り付けられており、餌２０を食べた昆虫１６を磁気的に吸着して捕獲可能とされている。
【００１６】
図５は、図１の捕獲器１０の斜視図である。容器１２内の中央には餌２０が配置され、容器１２の開口１４付近の領域には、開口１４に配置された永久磁石２２による磁力が働いている罠領域Ａ１が形成されている。
【００１７】
図６は、図１の捕獲器１０に昆虫１６が侵入する様子を示す斜視図であり、図７は、図１の捕獲器１０により昆虫１６が捕獲される様子を示す斜視図である。図６に示すように、昆虫１６は容器１２の開口１４から容器１２の内部に侵入し餌２０を食べる。昆虫１６が容器１２から出るためには容器１２の開口１４を通らなければならないが、餌２０には磁性材料が含まれる。このため、侵入時とは異なり、餌２０を食べた昆虫１６は、図７に示すように磁力が働いている罠領域Ａ１に腹部が磁気的に吸着されて動けなくなる。
【００１８】
このように本実施例の虫の捕獲器１０によれば、昆虫１６が内部に出入り可能な開口１４を有する容器１２を備え、容器１２の内部には磁性材料を含む餌２０が配置され、容器１２の開口１４には餌２０を食べた昆虫１６を磁気的に吸着して捕獲可能な永久磁石２２が配置されているため、毒性化学薬品や、粘着材を使用しなくても昆虫１６などの虫を捕獲することができる。
【００１９】
また、従来の粘着シートや駆除剤を用いた虫の捕獲器は、有効期間が１か月から半年程度であり、常時必要とされるケース（食堂、下水周りなど）では、有効期間が経過する度に買い替える必要がある。しかし、本実施例の虫の捕獲器１０は、永久磁石２２を使用するため、捕獲能力を長期間に渡って維持することができ、捕獲器回収の手間や捕獲器の購入コストが削減できる。また、捕獲した昆虫１６などの虫をほぼ無傷で捕まえることができ、さらに無傷で外に逃がすこともできるので、共存共栄や平和的解決を標榜することができ、購入者の精神的負荷の軽減や、販売者のイメージ向上を図ることも可能である。
【００２０】
また、本実施例の虫の捕獲器１０によれば、餌２０は、磁性を有する流体である。このため、風などによる飛散の心配がない。なお、特許文献１に記載されているような強磁性粒子を使用した場合は、飛散してしまった場合に環境や人体への健康上の問題が懸念されるが、磁性を有する流体であればその心配が無い。
【００２１】
また、餌２０は、植物油脂または動物油脂に磁性粉体を混合したものである。このため、誤って幼児やペットが餌２０を食したとしても、健康への影響が少ない。
【００２２】
また、家屋に住む害虫、特にゴキブリは雑食性であり油を好むので、本実施例の虫の捕獲器１０のように、植物油脂または動物油脂に磁性粉体を混合したものを餌２０とすれば、捕獲器１０はゴキブリの捕獲器として使用可能である。また、樹液に磁性粉体を混合したものを餌とすれば、カブトムシやクワガタムシ等の捕獲器として使用可能である。また、餌２０を植物油に砂鉄を混合したものとすれば、ペットや幼児が間違えて食べたとしても、悪影響が無い。
【００２３】
また、本実施例の虫の捕獲器１０によれば、昆虫を無傷で生きたままとらえる事が可能なので、ペットとしたり、いたずら道具、手品道具等、パーティー道具に使用する生き物として披露することもできる。また、観察や研究のための昆虫の採取にも適している。
【００２４】
図８は、図１の捕獲器１０によって捕獲した昆虫１６の腹部に、永久磁石３０を取り付けた紐３２を付けた様子を示す図である。磁性材料が含まれた餌２０を食べた昆虫１６は、紐３２に取り付けた永久磁石３０に腹部が引っ付く。このため、粘着材を使用した捕獲器と異なり、昆虫などの虫を負傷させることなく、紐３２の届く範囲内で、自由に歩行や飛行することができる状態で保持し、また、ほぼ無傷で解放することができる。
【００２５】
以上、本発明の実施例を図面に基づいて詳細に説明したが、本発明はその他の態様においても適用される。
【００２６】
例えば、前述の実施例では、捕獲器１０は、カブトムシ、クワガタムシ、ゴキブリ等の昆虫の捕獲器であったが、餌２０の成分を捕獲対象に合せることで、コガネムシ、ハエ、蚊などその他の昆虫や害虫を捕獲できるようにしてもよいし、クモやムカデなどの昆虫以外の虫を捕獲できるようにしてもよい。
【００２７】
また、前述の実施例では、餌２０は植物油脂または動物油脂に砂鉄等の磁性粉体が混合された磁性を有する流体状の餌であったが、様々な食糧に磁性材料、すなわち磁性流体や磁性粉体を、混ぜた塊状や粉末状の餌であってもよい。また、磁性粉体は、砂鉄でなく、磁鉄鋼、磁石鋼、フェライト等の、強磁性を有する粉体であってもよい。また、磁性流体は、好適には強磁性を有する磁性粉体を流体媒体に混合したものである。
【００２８】
また、前述の実施例では、容器１２の開口１４を形成する部分の台１２ａの裏側にネオジムなどの永久磁石２２が取り付けられていたが、台１２ａの表側や内部に取り付けられていてもよく、箱１２ｂにむき出しに永久磁石が取り付けられてもよい。要は、磁性材料を含む餌２０を食した昆虫等の虫が開口１４を通って容器１２の外へ出ようとする際に、その虫を捕獲できるように容器１２の開口１４に永久磁石２２が配置されているものであればよい。また、永久磁石でなく電磁石等の磁石により磁界を発生させて、磁性材料を含む餌を食した虫を捕獲するものであってもよい。
【００２９】
また、前述の実施例では筒状の容器１２は平板状の台１２ａと屋根状の箱１２ｂから形成されていたが、箱のみで容器が形成されていてもよいし、容器は筒状でなく、袋状などでもよい。要は、虫が内部に出入り可能な開口を有する容器であればよい。
【００３０】
なお、上述したのはあくまでも一実施形態であり、その他一々例示はしないが、本発明は、その趣旨を逸脱しない範囲で当業者の知識に基づいて種々変更、改良を加えた態様で実施することができる。
【符号の説明】
【００３１】
１０  ：捕獲器（虫の捕獲器）
１２  ：容器
１４  ：開口
１６  ：昆虫（虫）
２０  ：餌
２２  ：永久磁石（磁石）
【図１】
2019122317.tif 000003
【図２】
2019122317.tif 000004
【図３】
2019122317.tif 000005
【図４】
2019122317.tif 000006
【図５】
2019122317.tif 000007
【図６】
2019122317.tif 000008
【図７】
2019122317.tif 000009
【図８】
2019122317.tif 000010